(57)【要約】【課題】小型で安価でありながら高い性能を有するプロジェクタを提供すること。【解決手段】このプロジェクタでは、レーザアレイ３１が副走査方向の画素数よりも少ない複数の発光部３１ａを同一基板上に有するので、画素数に対応する多数の発光素子を設ける場合に比較して各発光部３１ａの特性を揃えることが容易であり、レーザアレイ３１を比較的安価なものとすることができる。また、スキャン装置４０を利用してアドレッシング光ＡＢを光アドレッシング液晶２０上で主走査方向及び副走査方向に走査させるので、アドレッシング光ＡＢの変調によって任意の画像を高速で書き込むことができ、画像の書込み部分を小型化することができる。【選択図】    図１
2004226486.tif 000002
【特許請求の範囲】
【請求項１】
書き込み用のアドレッシング光の入射箇所で光学特性が変化する空間光変調装置と、
副走査方向の画素数よりも少ない複数の発光部を同一基板上に有するとともに、当該複数の発光部から複数のアドレッシング光をそれぞれ発生させるアレイ光源と、
前記アレイ光源からの前記複数のアドレッシング光を、副走査方向に関して重複を回避するように割り当てた配列で前記空間光変調装置上に入射させるとともに、当該空間光変調装置上で主走査方向及び副走査方向に走査させる２軸型のスキャン手段と
を備えるプロジェクタ。
【請求項２】
前記スキャン手段は、前記複数のアドレッシング光を既に主走査が完了した画素列と重複しないように前記副走査方向に移動させることによって、前記複数のアドレッシング光の副走査を行うことを特徴とする請求項１記載のプロジェクタ。
【請求項３】
前記複数の発光素子の個数をｎとし、前記副走査方向の総画素数をｍとしたとき、各発光部は、副走査方向に関して所定画素数だけそれぞれ離間して離散した画素位置に対応してそれぞれ配置され、前記スキャン手段は、前記アレイ光源からの前記複数のスキャンアドレッシング光を１画素単位で移動させつつ、約ｍ／ｎ画素分に対応する距離の副走査を行うことを特徴とする請求項１及び請求項２のいずれか記載のプロジェクタ。
【請求項４】
各発光部は、副走査方向に関して、隣接する発光部の間隔であるピッチの約ｎ／ｍ倍のサイズの発光領域を有することを特徴とする請求項３記載のプロジェクタ。
【請求項５】
前記複数の発光素子の個数をｎとし、前記副走査方向の総画素数をｍとしたとき、各発光部は、副走査方向に関して隣接して連続する画素位置に対応してそれぞれ配置され、前記スキャン手段は、前記アレイ光源からの前記複数のアドレッシング光をｎ画素単位で移動させつつ、約（ｍ−ｎ）画素分の距離に対応する副走査を行うことを特徴とする請求項１及び請求項２のいずれか記載のプロジェクタ。
【請求項６】
各発光部は、副走査方向に関して、隣接する発光部の間隔であるピッチに対応するサイズの発光領域を有することを特徴とする請求項５記載のプロジェクタ。
【請求項７】
総画素数ｍは、個数ｎの倍数であることを特徴とする請求項３から請求項６のいずれか記載のプロジェクタ。
【請求項８】
色分割した各色の読出し光を前記空間光変調装置に時系列的に繰り返して入射させるシーケンシャル照明手段と、前記アレイ光源及び前記スキャン手段による書込みのタイミングと前記シーケンシャル照明手段による読出しのタイミングとを制御する制御手段とをさらに備える請求項１から請求項７のいずれか一項記載のプロジェクタ。
【請求項９】
前記スキャン手段は、前記アレイ光源からの前記複数のアドレッシング光を前記空間光変調装置にそれぞれ集光して入射させるレンズ系と、当該レンズ系の焦点位置近傍に配置されるとともに前記アレイ光源からのアドレッシング光を偏向するスキャンミラーとを備える請求項１から請求項８のいずれか一項記載のプロジェクタ。
【発明の詳細な説明】
【発明の属する技術分野】
本発明は、光を用いて情報の書込みを行う光アドレッシング液晶等の光アドレス型の空間光変調素子を用いて画像の投射を行うプロジェクタに関する。
【従来の技術】
光アドレス型の空間光変調素子を用いて画像を投影するプロジェクタとして、空間光変調素の書込み側にＣＲＴを対面配置し、ＣＲＴに画像を形成することによって、空間光変調素子への画像書込みを行うものが存在する（例えば、特許文献１等参照）。
【０００１】
また、同様の空間光変調素子を用いて画像を投影するプロジェクタとして、画像信号によって強度変調されたレーザ光のスポット又はラインを空間光変調素子の書込み側に走査しつつ入射させるものが存在する（特許文献２参照）。
【０００２】
【特許文献１】
特開平５−３３３３６７号公報
【特許文献２】
特開２０００−１９６８３３号公報（図５及び図６）
【発明が解決しようとする課題】
しかし、第１例のプロジェクタは、書込み用のＣＲＴを空間光変調素子に対向して設ける構造であることから、書込み用の光学系が大型化するだけでなく、コストの増大を招く。
【０００３】
また、第２例のプロジェクタのうち、スポットを空間光変調素子に入射させるものの場合、高い解像度を達成しようとすると、スポットの高速走査が必要となって書込み位置の精度が不十分となり、結果的に高解像度を達成することが困難である。また、ラインを空間光変調素子に入射させるものの場合、ラインの走査又は移動を低速とすることができるが、高い解像度を達成しようとすると、画素数に対応する多数の発光素子とこれに付随する駆動回路とが必要となり、各発光素子の特性を揃えることが容易で、光源のコスト増加が極めて大きくなる。
【０００４】
そこで、本発明は、小型で安価でありながら高い性能を有するプロジェクタを提供することを目的とする。
【０００５】
また、本発明は、簡易に高解像度を達成することができるプロジェクタを提供することを目的とする。
【０００６】
【課題を解決するための手段】
上記課題を解決するため、本発明に係るプロジェクタは、書込み用のアドレッシング光の入射箇所で光学特性が変化する空間光変調装置と、副走査方向の画素数よりも少ない複数の発光部を同一基板上に有するとともに、これら複数の発光部から複数のアドレッシング光をそれぞれ発生させるアレイ光源と、アレイ光源からの複数のアドレッシング光を、副走査方向に関して重複を回避するように割り当てた配列で空間光変調装置上に入射させるとともに、この空間光変調装置上で主走査方向及び副走査方向に走査させる２軸型のスキャン手段とを備える。
【０００７】
ここで、「空間光変調装置」とは、例えば光アドレッシング液晶等の光を用いて情報の書込みを行う液晶ライトバルブに代表される光デバイスであり、▲１▼アドレッシング光が入射する部分すなわちアドレッシング光により特性が変化する部分と、▲２▼読出し光が入射する部分すなわち読出し光を変調する部分とを有している。なお、液晶ライトバルブは、空間光増幅素子と称されることもあり、このような空間光増幅素子も「空間光変調装置」に含まれる概念である。また、「主走査方向」とは、相対的に高速で走査が行われる方向であり、通常画像の横方向を意味し、「副走査方向」とは、相対的に低速で走査が行われる方向であり、通常画像の縦方向を意味する。
【０００８】
上記プロジェクタでは、アレイ光源が副走査方向の画素数よりも少ない複数の発光部を同一基板上に有するので、画素数に対応する多数の発光素子を設ける場合に比較して各発光部の特性を揃えることが容易であり、かつ、アレイ光源を比較的安価なものとすることができる。また、スキャン手段を利用してアドレッシング光を空間光変調装置上で主走査方向及び副走査方向に走査させるので、アドレッシング光の変調によって任意の画像を高速で書き込むことができ、画像の書込み部分を小型化することができる。この際、スキャン手段が複数のアドレッシング光を、副走査方向に関して重複を回避するように割り当てた状態で空間光変調装置上に入射させるので、単一スポットの走査の場合に比較して低速かつ低可動量で走査するにも拘わらず、迅速に画面全体の走査を完了することができる。
【０００９】
また、上記プロジェクタの具体的態様では、スキャン手段は、複数のアドレッシング光を既に主走査が完了した画素列と重複しないように副走査方向に移動させることによって、複数のアドレッシング光の副走査を行う。この場合、アレイ光源の各発光部を有効に利用して効率的で迅速な書込みが可能になる。
【００１０】
また、上記プロジェクタの具体的態様では、複数の発光素子の個数をｎとし、副走査方向の総画素数をｍとしたとき、各発光部は、副走査方向に関して所定画素数だけそれぞれ離間して離散した画素位置に対応してそれぞれ配置され、スキャン手段は、アレイ光源からの複数のスキャンアドレッシング光を１画素単位で移動させつつ、約ｍ／ｎ画素分に対応する距離の副走査を行う。この場合、副走査の角度等のレンジを単一スポットの副走査に比較してｎ／ｍ倍に低減することができ、目標とする動作性能のスキャン手段を簡易かつ安価に提供することができる。
【００１１】
また、上記プロジェクタの具体的態様では、各発光部が、副走査方向に関して、隣接する発光部の間隔であるピッチの約ｎ／ｍ倍のサイズの発光領域を有する。この場合、空間光変調装置を効率よくアドレッシングして効率的な書込みを達成することができる。
【００１２】
また、上記プロジェクタの具体的態様では、複数の発光素子の個数をｎとし、副走査方向の総画素数をｍとしたとき、各発光部は、副走査方向に関して隣接して連続する画素位置に対応してそれぞれ配置され、スキャン手段は、アレイ光源からの複数のアドレッシング光をｎ画素単位で移動させつつ、約（ｍ−ｎ）画素分に対応する距離の副走査を行う。この場合、副走査の角度等のレンジを単一スポットの副走査に比較して約（ｍ−ｎ）／ｍ倍に低減することができ、目標とする動作性能のスキャン手段を簡易かつ安価に提供することができる。さらに、主走査方向の画素列の副走査方向に関する間隔が安定するので、書込み画像にムラが生じにくい。
【００１３】
また、上記プロジェクタの具体的態様では、各発光部が、副走査方向に関して、隣接する発光部の間隔であるピッチに対応するサイズの発光領域を有する。この場合、空間光変調装置を効率よくアドレッシングして効率的な書込みを達成することができる。
【００１４】
また、上記プロジェクタの具体的態様では、総画素数ｍは、個数ｎの倍数である。この場合、ｍ／ｎ回に分割した副走査によって画面全体の走査を効率よく行うことができる。
【００１５】
また、上記プロジェクタの具体的態様では、色分割した各色の読出し光を空間光変調装置に時系列的に繰り返して入射させるシーケンシャル照明手段と、アレイ光源及びスキャン手段による書込みのタイミングとシーケンシャル照明手段による読出しのタイミングとを制御する制御手段とをさらに備える。この場合、シーケンシャル照明手段が色分割した各色の読出し光を空間光変調装置に時系列的に繰り返して入射させるので、プロジェクタを単一の空間光変調装置のみで構成することができるだけでなく、アドレッシングの高速化によってカラーブレークアップを低減することができる。
【００１６】
また、上記プロジェクタの具体的態様では、スキャン手段が、アレイ光源からの複数のアドレッシング光を空間光変調装置にそれぞれ集光して入射させるレンズ系と、このレンズ系の焦点位置近傍に配置されるとともにアレイ光源からのアドレッシング光を偏向するスキャンミラーとを備える。この場合、レンズ系の焦点位置近傍にスキャンミラーを配置するので、スキャンミラーを小型化することができ、アドレッシングすなわち書込みを高速化することができる。
【００１７】
【発明の実施の形態】
〔第１実施形態〕
図１は、第１実施形態に係るプロジェクタ１０の全体構造を概念的に説明するブロック図である。このプロジェクタ１０は、空間光変調装置である光アドレッシング液晶２０と、アレイ光源である光源装置３０と、スキャン手段であるスキャン装置４０と、シーケンシャル照明手段である照明部５０と、投射レンズ６０と、制御手段である制御装置７０とを備える。
【００１８】
図２は、図１に示す光アドレッシング液晶２０の一例を示す断面構造図である。この光アドレッシング液晶２０は、書き込まれた状態を一定期間維持する保持性を有し、一対の平板ガラス２１、２２の間に透明電極２３、２４を介して感光体層２５とミラー層２６と液晶層２７との積層体を挟んだ構造となっている。そして、一対の透明電極２３、２４間には、交流電圧が印加される。
【００１９】
光アドレッシング液晶２０の作製の概要は以下のようなものである。まず、一方の平板ガラス２１上に透明電極２３と感光体層２５とミラー層２６とを順次形成し、他方の平板ガラス２２上に透明電極２４を形成する。その後、両平板ガラス２１、２２をミラー層２６及び透明電極２４側を内側にして対抗させた隙間に、液晶層２７を注入して封入することによって、光アドレッシング液晶２０を完成する。
【００２０】
光アドレッシング液晶２０への書込みに際しては、書込み側である平板ガラス２１の表面に図１のスキャン装置４０側からのアドレッシング光ＡＢが入射し、アドレッシング光ＡＢの入射領域では感光体層２５が導通する。これにより、この領域の背後にある液晶層２７の対応領域に電圧が印加され、この対応領域の偏光特性が切り替わる。この際、感光体層２５や液晶層２７に一定の保持性を持たせておけば、アドレッシング光ＡＢが通過した後も一定時間以上、液晶層２７の状態すなわち偏光特性を維持することができる。その後の光アドレッシング液晶２０からの読出しに際しては、読出し側である平板ガラス２２の表面に図１の照明部５０からの有色の照明光ＣＬが入射し、ミラー層２６で反射される間に液晶層２７で変調され画像光ＩＬとして出射する。
【００２１】
図１に戻って、光源装置３０は、Ｚ方向に一列に延びるレーザアレイ３１からなる。このレーザアレイ３１は、半導体基板上に半導体製造プロセスを用いて一体的に形成された面発光レーザ等からなるアレイ光源であり、投射すべき画像のうち書込み中の画素の輝度に応じて変調された複数のレーザ光をアドレッシング光として発生する。なお、レーザアレイ３１から発生させるアドレッシング光の波長は、光アドレッシング液晶２０に設けた感光体層２５のスペクトル特性を考慮して適宜選択される。
【００２２】
スキャン装置４０は、光源装置３０からのレーザ光を拡大して光アドレッシング液晶２０の書込み面２０ａ上に投射するレンズ４１と、レンズ４１を経たレーザ光を反射する２軸駆動型のスキャンミラー４２と、スキャンミラー４２の角度をＸＹの２軸に関して調節するアクチュエータ４３とを備える。アクチュエータ４３は、制御装置７０からの指示に基づいて動作する駆動ユニット４８によって適宜駆動される。この駆動ユニット４８は、光源装置３０の動作を制御する役割も有しており、レーザアレイ３１から出射する各アドレッシング光ＡＢの強度をＲＢＧの各色の画像の輝度分布に応じて変調する。この際、この駆動ユニット４８は、光源装置３０とアクチュエータ４３とを同期させて動作させることができ、アドレッシング光ＡＢが書込み面２０ａ上で刻々と入射する画素位置に応じてアドレッシング光ＡＢの強度変調を行う。
【００２３】
ここで、スキャンミラー４２は、２軸チルトミラーデバイスであり、例えば半導体基板上に公知の薄膜作製プロセスを用いてアクチュエータ４３と一体的に形成されたＭＥＭＳ（ＭｉｃｒｏＥｌｅｃｔｒｏＭｅｃｈａｎｉｃａｌ  Ｓｙｓｔｅｍｓ）素子で構成することができる。このスキャンミラー４２は、光源装置３０からのアドレッシング光ＡＢを光アドレッシング液晶２０の書込み面２０ａ上の適当な画素位置にアレイ状にして入射させることができ、アドレッシング光ＡＢの高速スキャンを可能にする。
【００２４】
図３は、光源装置３０やスキャン装置４０を構成する要素の配置関係等を説明する図である。光源装置３０を構成するレーザアレイ３１には、多数の発光部３１ａが形成されている。これらの発光部３１ａは、Ｚ方向に等間隔で離間して一直線状に配列されている。各発光部３１ａを射出したアドレッシング光ＡＢは、レンズ４１を通過して収束されつつスキャンミラー４２に入射し、光アドレッシング液晶２０の書込み面２０ａ上にレーザアレイ３１の拡大像を形成する。具体的な実施例では、レーザアレイ３１の配置等を調節することによって、レーザアレイ３１の投射像の拡大率を２倍とした。なお、この系ではレンズ４１の後側焦点位置にスキャンミラー４２が配置されているので、各発光部３１ａの正面方向（−Ｙ方向）に射出したアドレッシング光ＡＢは、すべてスキャンミラー４２の中心にほぼ一致して入射する。このようなテレセントリックな配置とすることにより、スキャンミラー４２を最小限のサイズとできるので、スキャンミラー４２の応答性すなわち走査速度を高めることができる。
【００２５】
ここで、発光部３１ａの個数ｎは、投射画像の解像度等の条件に応じて適宜される。例えば、副走査方向すなわちＹ方向の総画素数ｍが１０８０である場合、発光部３１ａの数は、「１／（任意の自然数）」の個数（具体的には、５４、１０８、２１６等）とすることが効率的な書込みすなわち無駄のないアドレッシングの観点から好ましい。
【００２６】
スキャンミラー４２は、アドレッシング光ＡＢを用いて主走査方向Ｘの走査を繰り返しつつ、副走査方向Ｙの走査を徐々に行うことによって、光アドレッシング液晶２０の書込み面２０ａ側を画素単位でもれなく走査する。このような走査により、１画面すなわちある１色のフレームの書込みが完了する。ここで、比較的低速の副走査は、１回の主走査が完了した直後に、書込み面２０ａ上においてＹ方向に１画素分だけレーザアレイ３１の投射位置を移動させることによって行う。書込み面２０ａ上における全副走査の距離は、副走査方向Ｙの全画素数をｍとして（ｍ／ｎ）画素分となっている。つまり、Ｙ方向に１画素づつ（ｍ／ｎ−１）回移動させることより、副走査すなわち全画面の走査が完了する。ここで、各発光部３１ａに形成された発光領域のＺ方向の幅又は直径Ｗ１は、各発光部３１ａの間隔であるピッチをＰ１として、
Ｗ１≒（ｎ／ｍ）×Ｐ１
となっている。発光部３１ａをこのようなサイズとすることにより、アドレッシング光ＡＢを書込み面２０ａ上で隅間無く走査することができる。
【００２７】
図４は、スキャン装置４０によるアドレッシング光ＡＢの走査を具体的に説明する図である。光アドレッシング液晶２０の書込み面２０ａ上には、図３に示すレーザアレイ３１の像ＰＡが投射される。つまり、アドレッシング光ＡＢ１，ＡＢ２，…，ＡＢｎの入射位置は、レーザアレイ３１に設けた各発光部３１ａの配置に対応する。アドレッシング光ＡＢ１，ＡＢ２，…，ＡＢｎは、それらの配置置関係を保ちつつ、既述のように±Ｘ方向に高速で主走査されＹ方向に低速で副走査される。この結果、アドレッシング光ＡＢ１，ＡＢ２，…，ＡＢｎの軌跡ＴＲ，ＴＲ２，…，ＴＲｎで示したように、全走査を完了すれば書込み面２０ａの全面に書込みを行うことができる。この際、アドレッシング光ＡＢ１，ＡＢ２，…，ＡＢｎの入射位置は、書込み面２０ａの縦方向に関する総画素数ｍを基準として、副走査方向Ｙに関して（ｍ／ｎ）画素（図示の例では（ｍ／ｎ）＝１０）ごとの一定間隔となっている。これに対応して、副走査は、１画素単位で移動しつつ全体で（ｍ／ｎ）回繰り返されることになるので、副走査の距離は、全体として（ｍ／ｎ）画素に対応する距離になっている。つまり、副走査の距離は、その画面幅の（１／ｎ）で足ることになる。
【００２８】
図１に戻って、照明部５０は、固体発光素子である３つの発光ダイオード５１ａ、５１ｂ、５１ｃと、これらの発光ダイオード５１ａ、５１ｂ、５１ｃから射出された照明光を効率よく直線偏光に変換する偏光変換素子５２と、各発光ダイオード５１ａ、５１ｂ、５１ｃを制御装置７０からの指示に基づいて適宜発光させる駆動ユニット５３とを備える。ここで、発光ダイオード５１ａ、５１ｂ、５１ｃは、ＲＧＢの各色をそれぞれ発生する。発光ダイオード５１ａ、５１ｂ、５１ｃからの各色の照明光ＣＬａ、ＣＬｂ、ＣＬｃは、これらに内蔵し或いは外付けした光学系（不図示）を経て一様な分布とされ、偏光変換素子５２及び偏光フィルタ６５を通過して光アドレッシング液晶２０の読出し面２０ｂに均一に入射する。駆動ユニット５３は、各発光ダイオード５１ａ、５１ｂ、５１ｃの動作を制御して照明光ＣＬａ、ＣＬｂ、ＣＬｃの発光タイミングを調節する。つまり、駆動ユニット５３は、光アドレッシング液晶２０の書込み面２０ａに入射するスキャン部４０等からのアドレッシング光ＡＢと同期をとりつつ、光アドレッシング液晶２０の読出し面２０ｂをＲＧＢの３原色でカラーシーケンシャルに照明する。なお、アドレッシング光ＡＢを照射する書込み中は照明光ＣＬａ、ＣＬｂ、ＣＬｃを入射させないで、書込み完了後に照明光ＣＬａ、ＣＬｂ、ＣＬｃを入射させて読出しを行う制御が画像の書込みの安定性から好ましいが、書込みと読出しとを同時並行してを行う制御も可能である。
【００２９】
光アドレッシング液晶２０で反射されて偏光フィルタ６５を通過した画像光ＩＬは、各色の画像の輝度分布に応じて変調されたものであり、投射レンズ６０を経てスクリーンＳＣ上に投射され、ここにＲＧＢの３原色が合成されたカラー画像が形成される。
【００３０】
制御装置７０は、プロジェクタ１０の動作を統括的に制御するためのコンピュータであり、外部から入力されるビデオ信号を適当に加工して、駆動ユニット４８、５３に適当な制御信号を与え、読出しや書込みのタイミング等を制御して、スクリーンＳＣにビデオ信号に対応するカラー動画表示等を行わせる。
【００３１】
〔第２実施形態〕
以下、第２実施形態のプロジェクタについて説明する。第２実施形態のプロジェクタは、第１実施形態のプロジェクタを変形したものであり、全体としては同様の構造を有するので、異なる部分についてのみ説明する。
【００３２】
図５は、本実施形態のプロジェクタに組み込まれるレーザアレイ１３１の正面図である。このレーザアレイ１３１には、千鳥配置で発光部１３１ａが形成されている。ここで、発光部１３１ａの個数ｎは、第１実施形態の場合と同様に、投射画像の解像度等の条件に応じて適宜され、副走査方向に関する総画素数ｍの自然数分の１の個数とすることが無駄のないアドレッシングの観点から好ましい。
【００３３】
レーザアレイ１３１の発光部１３１ａから射出されたアドレッシング光は、図１に示すスキャンミラー４２と同様のスキャンミラーを用いて主走査方向及び副走査方向に走査される。副走査は、１回の主走査が完了した直後に、書込み面２０ａ上において副走査方向にｎ画素分だけレーザアレイ１３１の投射位置を移動させることによって行う。書込み面２０ａ上における全副走査の距離は、Ｙ方向の総画素数をｍとして、（ｍ−ｎ）画素分（具体的な実施例ではｍ−ｎ＝１０８０−１０＝１０７０）となっている。つまり、副走査方向にｎ画素づつ（ｍ／ｎ−１）回移動させることより、副走査すなわち全画面の走査が完了する。ここで、各発光部３１ａに形成された発光領域のＺ方向の幅又は直径Ｗ２は、各発光部３１ａの間隔であるピッチをＰ２として、
Ｗ２≒Ｐ２
となっている。これにより、アドレッシング光ＡＢを書込み面２０ａ上で隅間無く走査することができる。
【００３４】
図６は、第２実施形態におけるアドレッシング光の走査を説明する図である。光アドレッシング液晶２０の書込み面２０ａ上には、図５に示すレーザアレイ１３１の像ＰＡが投射される。つまり、アドレッシング光ＡＢ１，ＡＢ２，…，ＡＢｎの入射位置は、レーザアレイ１３１に設けた各発光部１３１ａに対応する。アドレッシング光ＡＢ１，ＡＢ２，…，ＡＢｎは、それらの配置置関係を保って±Ｘ方向に高速で主走査され、Ｙ方向に低速で副走査される。この結果、アドレッシング光ＡＢ１，ＡＢ２，…，ＡＢｎの軌跡ＴＲ，ＴＲ２，…，ＴＲｎで示したように、全走査によって書込み面２０ａの全面に画素単位でもれなく書込みが行われる。この際、各アドレッシング光ＡＢ１，ＡＢ２，…，ＡＢｎの入射位置は、副走査方向Ｙに関して１画素ずつずれて隣接するものとなっている。また、副走査は、ｎ画素単位（図示の例ではｎ＝１０）で移動しつつ書込み面２０ａの縦方向に関する総画素数ｍを基準として全体でｍ／ｎ回繰り返される。結果として、副走査の距離は、全体として（ｍ−ｎ）画素に対応する距離になっている。つまり、副走査の距離は、その画面幅の（ｍ−ｎ）／ｍで足ることになる。
【００３５】
〔第３実施形態〕
以下、第３実施形態のプロジェクタについて説明する。第３実施形態のプロジェクタは、第１実施形態や第２実施形態の一部を変更したものである。この場合、図１のスキャン装置４０の光学的設計に変更を施すことにより、光アドレッシング液晶２０上にアドレッシング光を縮小して投射する。また、図１の発光ダイオード５１ａ、５１ｂ、５１ｃや駆動ユニット５３に代えて、カラーホールを用いる。
【００３６】
図７は、第３実施形態のプロジェクタの全体構造を示すブロック図である。図からも明らかなように、光アドレッシング液晶２０の書込み面２０ａ上には、レーザアレイ２３１の縮小像ＰＡが投影される。この場合、レンズ２４１の前側焦点位置にスキャンミラー２４２が配置されており、スキャンミラー２４２のサイズを小型化することができる。レーザアレイ２３１この縮小像ＰＡは、スキャンミラー２４２によって、書込み面２０ａ上における入射位置を調整され、図示の例では、図６に示すタイプの走査が行われるが、各部の寸法等を変更することによって、図４に示すタイプの走査を行わせることもできる。
【００３７】
照明部２５０は、照明光を発生するランプ等の白色光源２５５と、この白色光源２５５からの光を時系列的に色分割した照明光ＣＬとして射出させるカラーホイール２５６と、このカラーホイール２５６を透過した照明光を効率よく直線偏光に変換する偏光変換素子２５２と、照明光を所望のビームサイズにして光アドレッシング液晶２０の読出し面２０ｂに入射させるレンズ２５８と、白色光源２５５等を制御装置７０からの指示に基づいて適宜動作させる駆動ユニット２５３とを備える。なお、カラーホイール２５６は、制御装置７０の制御下で、光源装置３０及びスキャン装置４０と同期して動作するモータ（不図示）に駆動されて定速で回転している。
【００３８】
図８は、カラーホイール２５６の構造を説明する平面図である。図からも明らかなように、カラーホイール２５６には、ＲＧＢの３色に対応する３つのフィルタ領域２５６ａ、２５６ｂ、２５６ｃが形成されている。これらのフィルタ領域２５６ａ、２５６ｂ、２５６ｃの間には、ＮＤフィルタ等の遮光体、又は反射ミラー等からなる３つの同一形状の遮光部分２５６ｄが形成されている。各遮光部分１４６ｄは、スキャン装置４０を利用した書き込みのタイミングに一致するように配置されている。また、カラーホイール２５６のフィルタ領域２５６ａ、２５６ｂ、２５６ｃは、それぞれＲＧＢの各色の照明光ＣＬを用いた読出しのタイミングで、白色光源２５５の正面を順次通過する。これにより、光アドレッシング液晶２０の書込み面２０ａに入射するアドレッシング光ＡＢによる書込みと同期をとりつつ、光アドレッシング液晶２０の読出し面２０ｂをＲＧＢの３原色でカラーシーケンシャルに照明する読出しが可能になる。
【００３９】
〔第４実施形態〕
図９（ａ）は、第４実施形態のプロジェクタの要部であるレーザアレイ３３１の正面図である。このレーザアレイ３３１には、２つ一組の発光部３３１ａが一定の周期で形成されている。この場合、副走査方向に隣接する一対の画素列が同時に書き込まれるので、光アドレッシング液晶の書込み面における副走査方向の移動は２画素単位となる。また、発光部３３１ａは、副走査方向の総画素数をｍとし発光部３３１ａの個数をｎとして、２ｍ／ｎの画素間隔（図示の例では２ｍ／ｎ＝１０）で周期的に配列されており、副走査は、２画素単位で全体でｍ／ｎ回繰り返される。
【００４０】
一方、図９（ｂ）は、図５に示すレーザアレイ１３１の配列を変形した正面図である。このレーザアレイ４３１には、５つ一組の発光部４３１ａが副走査方向に関して一定の傾きを有して繰り返して配置されている。
【００４１】
以上実施形態に即して本発明を説明したが、本発明は上記実施形態に限定されるものではない。例えば、光アドレッシング液晶２０として、感光体層の代わりに光起電力層を備えるものを用いることができる。また、レーザアレイ３１に代えて、有機ＥＬ等からなるアレイ光源によって光源装置３０を構成することもできる。
【図面の簡単な説明】
【図１】第１実施形態に係るプロジェクタを説明する図である。
【図２】光アドレッシング液晶の一例の断面構造を説明する図である。
【図３】光源装置及びスキャン装置の配置関係等を説明する図である。
【図４】アドレッシング光の具体的な走査を説明する図である。
【図５】第２実施形態の装置を構成するレーザアレイの正面図である。
【図６】アドレッシング光の具体的な走査を説明する図である。
【図７】第３実施形態に係るプロジェクタを説明する図である。
【図８】カラーホイールの構造を説明する平面図である。
【図９】（ａ）、（ｂ）は、第４実施形態を説明する図である。
【符号の説明】
１０  プロジェクタ
２０  光アドレッシング液晶
３０  光源装置
３１  レーザアレイ
４０  スキャン装置
４１  レンズ
４２  スキャンミラー
４３  アクチュエータ
４８  駆動ユニット
５０  照明部
５１ａ，５１ｂ，５１ｃ  発光ダイオード
５２  偏光変換素子
６０  投射レンズ
６５  偏光フィルタ
７０  制御装置
ＡＢ  アドレッシング光
ＣＬａ，ＣＬｂ，ＣＬｃ  照明光
ＩＬ  画像光
【図１】
2004226486.tif 000003
【図２】
2004226486.tif 000004
【図３】
2004226486.tif 000005
【図４】
2004226486.tif 000006
【図５】
2004226486.tif 000007
【図６】
2004226486.tif 000008
【図７】
2004226486.tif 000009
【図８】
2004226486.tif 000010
【図９】
2004226486.tif 000011